(57)【要約】【課題】レバーに錠部材が設けられた平面ハンドルについて、製造時に錠部材の取り付けを簡単に行えるものとする。【解決手段】  本願発明は、レバー２に設けられた錠部材３を施錠するによってレバー２がケーシング１に収納された状態を維持してレバー２を握ることができないようにした平面ハンドルであり、レバー２の前面に開口部２１を備え、レバー２の後面側から錠部材３が装着され、錠部材３の前面が開口部２１から露出した状態としたものであり、錠部材３は、その前面に鍵挿入孔３１を備え、鍵挿入孔３１に鍵を挿入して錠部材３の回動を行なうことによって施錠及び解錠を行なうものであり、錠部材３は、錠ケース４に収納され、錠ケース４がレバー２の後面に固定されることによって、レバー２の後面側から装着されたものである。【選択図】          図１
2014105487.tif 000002
【特許請求の範囲】
【請求項１】
前面に開放部を備えたケーシングと、前記ケーシングの開放部に出没可能に設けられたレバーとを有し、前記レバーに設けられた錠部材を施錠することによって前記レバーが前記ケーシングに収納された状態を維持してレバーを握ることができないようにした平面ハンドルにおいて、
前記レバーの前面に開口部を備え、
前記レバーの後面側から前記錠部材が装着され、前記錠部材の前面が前記開口部から露出した状態としたものであり、
前記錠部材は、その前面に鍵挿入孔を備え、前記鍵挿入孔に鍵を挿入して前記錠部材の回動を行なうことによって施錠及び解錠を行なうものであり、
前記錠部材は、錠ケースに収納され、前記錠ケースが前記レバーの後面に固定されることによって、前記レバーの後面側から装着されたものであることを特徴とする平面ハンドル。
【請求項２】
前記開口部は、鍵操作部とインジケータ表示部とを備え、前記錠部材の前面よりも小さなものであり、
前記鍵操作部から前記鍵挿入孔に鍵を挿入して前記錠部材の回動を行なうものであり、
前記錠部材の前面には、錠部材の回動によって位置が変わるインジケータが備えられ、
前記回動に伴い前記開口部のインジケータ表示部から見えるインジケータの領域が変化することによって、前記施錠及び解錠の状態を表示するようにしたことを特徴とする請求項１記載の平面ハンドル。
【請求項３】
前記平面ハンドルは、取付面に設けられた取付孔に挿入されて取付面に固定されるものであり、
前記ケーシングは、前記取付面に当接するフランジを備え、前記フランジはその後面にパッキンを備えることで前記取付面との間の密閉性を向上させるものであり、
前記パッキンは、後方に伸びる係止突起を備え、前記係止突起を前記取付孔に係止させることによって、前記平面ハンドルを前記取付孔に仮固定することができ、
仮固定した状態で取付面への固定作業を行なうことができるようにした請求項１又は２記載の平面ハンドル。
【発明の詳細な説明】
【技術分野】
【０００１】
本願発明は、平面ハンドルに関するものである。
【背景技術】
【０００２】
扉の開閉と施錠を行う平面ハンドルが普及している。平面ハンドルは、例えば配電盤を収容する配電ボックスの扉などに広く使用されている。
この平面ハンドルとして、前面に開放部を備えたケーシングと、前記ケーシングの開放部に出没可能に設けられた扉開閉用のレバーとを有し、前記レバーに設けられた錠部材を施錠するによって前記レバーが前記ケーシングに収納された状態を維持してレバーを握ることができないようにしたものがある（特許文献１，２）。
また、上記ケーシング側に、上記錠部材を備えたものも見受けられる（特許文献３）。
【０００３】
特許文献１に示すものは、扉パネルに形成した取付孔に扉パネルの正面側から挿入される本体ケ−スの外周部分に、前記取付孔の周囲部分の扉パネルの正面に当接する正面鍔部を連設し、本体ケ−スの中間部に本体ケースの側面方向に開口する一対のポケット部を形成し、各ポケット部にラッチ体を本体ケースの側面方向に摺動可能に収容し、各ラッチ体を先端部７がポケット部の側面開口から突出するように弾性部材により摺動付勢し、各ラッチ体６の先端部の背面側に、前記取付孔の孔縁部に摺接してラッチ体を没入方向に摺動させる傾斜カム面を形成し、ラッチ体の先端部の正面側に、前記取付孔の周囲部分の扉パネルの背面に当接する座面部を形成し、各ポケット部の背面開口を閉塞する蓋部材によって各ラッチ体が本体ケースの背面方向に移動しないように制止し、本体ケースにハンドル（レバー）などの機構部品を収容してなるハンドル装置の取付構造である。
この発明の目的は、扉パネルに取付ビス用の螺子孔や透孔を一切設ける必要がなく、ビス止めの際にはハンドル装置を扉パネルの正面側から押え付けて仮保持する必要がなく、取付作業を能率良く行えるハンドル装置の取付構造を提供すると共に、板厚の異なる各種の扉パネルに適用できる、ハンドル装置の取付構造を提供することである。
【０００４】
特許文献２に示すものは、縦長形状のハンドル（レバー）の一端が前記ハンドル（レバー）を収容するハウジングに対して回動可能に取り付けられ、前記ハンドルの他端にシリンダ錠が設けられて前記ハンドル（レバー）を収容するハウジングに対してロックされる平面ハンドルにおいて、前記ハンドル（レバー）の表面に前記シリンダ錠の施錠・解錠状態表示用の開口が設けられ、前記シリンダ錠の裏面にその回転軸に対して偏心した位置に係合手段が設けられ、前記ハンドル（レバー）の裏面側に設けられて前記ハンドル（レバー）の長手方向へ延びるガイド手段に沿って往復動可能な表示部材が前記係合手段に係合し、前記係合手段が前記回転軸の周りで旋回運動したとき前記表示部材が往復運動して前記表示部材に設けられた施錠・解錠表示部の施錠と解錠との表示が前記開口に交互に現れる平面ハンドルである。
この発明の目的は、施錠・解錠表示機構を有する平面ハンドルを提供することである。
【０００５】
特許文献３に示すものは、前面とその反対側の背面とを有する扉パネルのほぼ矩形の開口に嵌合して固着されるケーシングと、このケーシングに対して、一端側において扉の前面側へ起伏回転可能に枢支され、他端側へ延びるハンドル（レバー）と、前記ケーシング上の錠取付部に取付けられ（図６及び図７）、施錠状態で前記ハンドル（レバー）を倒伏位置に拘束し、解錠状態でハンドル（レバー）の起立動作を許容するシリンダ錠とを具備し、前記ハンドル（レバー）は、倒伏状態において前記ケーシング上のシリンダ錠の前面側に重なるように配置され、当該シリンダ錠の前面に対応する位置に、前面と背面間に貫通するキー挿入窓を有し、このキー挿入窓を通してシリンダ錠をキー操作可能に構成され、前記ハンドル（レバー）の起伏回転又は起立後の一端側を中心にした旋回操作に連動して扉をロック又は非ロック状態に切り替える扉用ロックハンドル装置において、前記シリンダ錠は、前面側の施錠位置と解錠位置にそれぞれ対応する回転角度離れた位置に、施錠状態と解錠状態を示すインジケータが表示され、前記ハンドル（レバー）は、倒伏状態において前記シリンダ錠の前記インジケータに対応する位置に、当該インジケータを前面側から視認可能に露出させる表示窓をさらに具備することを特徴とする扉用ロックハンドル装置である。
この発明の目的は、シリンダ錠が施錠位置にあるか、解錠位置にあるかの確認を容易に行うことができる扉用ロックハンドル装置を提供することである。
【先行技術文献】
【特許文献】
【０００６】
【特許文献１】特開２００４−３６１５６号公報
【特許文献２】特開２００７−２１７９３０号公報
【特許文献３】特開２０１０−１４４４１７号公報
【発明の概要】
【発明が解決しようとする課題】
【０００７】
特許文献１及び２に示すハンドル装置は、何れもレバーを起立させる専用のボタンを持たず、鍵の解錠操作でレバーの起立が可能なものである。
上記両ハンドル装置は、何れも正面側からレバーへ錠部材が取り付けられたものである。
このため、鍵の操作などによって、錠部材がレバーの正面側から前方へ簡単に脱落しないように組付ける複雑な固定構造が必要であり、その組み立ての作業性もよいものではない。また、このような固定構造により、ハンドル装置の錠部材を通じて、配電盤ボックス内に水が浸入しないようにする防水構造の組み付けも簡単ではない。
一方、特許文献３に示すハンドル装置では、その公報の図６及び図７へ示す通り、レバーを収納するケーシングに、錠部材が取り付けられ、レバーには前後に貫通するキー挿入窓が設けられ、ケーシングへ伏されたレバーにおいて、当該キー挿入窓から鍵を操作することができる。
しかし、この特許文献３に示すものにおいては、レバー起立用のボタンを備え、レバーの解錠とは別にレバーを起立させるためにボタン操作が必要である。
この特許文献３に示すものでは、上記の通りボタンやこのボタンを取り付けて作動させる手段が必要であり、全体としてみれば、ハンドル装置の組み立ての作業性はよくない。
本願発明は、平面ハンドルにおいて、錠部材の取付け構造を簡単なものとし、上記の問題点の解決を図るものである。
【課題を解決するための手段】
【０００８】
本願発明は、前面に開放部を備えたケーシングと、前記ケーシングの開放部に出没可能に設けられたレバーとを有し、前記レバーに設けられた錠部材を施錠することによって前記レバーが前記ケーシングに収納された状態を維持してレバーを握ることができないようにした平面ハンドルにおいて、前記レバーの前面に開口部を備え、前記レバーの後面側から前記錠部材が装着され、前記錠部材の前面が前記開口部から露出した状態としたものであり、前記錠部材は、その前面に鍵挿入孔を備え、前記鍵挿入孔に鍵を挿入して前記錠部材の回動を行なうことによって施錠及び解錠を行なうものであり、前記錠部材は、錠ケースに収納され、前記錠ケースが前記レバーの後面に固定されることによって、前記レバーの後面側から装着されたものである平面ハンドルを提供する。
また本願発明は、前記開口部は、鍵操作部とインジケータ表示部とを備え、前記錠部材の前面よりも小さなものであり、前記鍵操作部から前記鍵挿入孔に鍵を挿入して前記錠部材の回動を行なうものであり、前記錠部材の前面には、錠部材の回動によって位置が変わるインジケータが備えられ、前記回動に伴い前記開口部のインジケータ表示部から見えるインジケータの領域が変化することによって、前記施錠及び解錠の状態を表示するようにした平面ハンドルを提供することができる。
更に本願発明では、前記平面ハンドルは、取付面に設けられた取付孔に挿入されて取付面に固定されるものであり、前記ケーシングは、前記取付面に当接するフランジを備え、前記フランジはその後面にパッキンを備えることで前記取付面との間の密閉性を向上させるものであり、前記パッキンは、後方に伸びる係止突起を備え、前記係止突起を前記取付孔に係止させることによって、前記平面ハンドルを前記取付孔に仮固定することができ、仮固定した状態で取付面への固定作業を行なうことができる平面ハンドルを提供することができる。
【発明の効果】
【０００９】
本願発明は、ハンドルのレバーに対して後方側から、錠部材を取り付けるものとし、レバーそのものを、鍵操作時等の錠部材の抜け止めとして利用することにより、錠部材の取付けの構造を簡略にして、製造時における組立ての作業性を改善したものである。
また、錠部材の施錠・解錠の状態を表示するインジータ表示部を、部品点数の増加を抑えて実現した。インジータ表示部を、特に錠部材の近くに配置し、鍵の操作に連動して表示を変化できるものとし、解錠・施錠の状態を分かりやすいものとした。
【図面の簡単な説明】
【００１０】
【図１】（Ａ）はレバーを閉じて施錠した状態の平面ハンドルｈの使用状態を示す正面図、（Ｂ）は（Ａ）の側面図、（Ｃ）は掛金ｊを外した状態を示す同ハンドルｈの背面図、（Ｄ）は（Ｃ）に示す固定部材１１の背面図、（Ｅ）は（Ｄ）のＸ−Ｘ断面図。
【図２】（Ａ）は図１（Ｃ）へ示すパッキン１２の背面図、（Ｂ）は（Ａ）のパッキン１２の正面図、（Ｃ）は（Ａ）のＹ−Ｙ断面図、（Ｄ）は（Ａ）のパッキン１２を取り付ける前のケーシング１の一部切欠背面図。
【図３】（Ａ）は図１（Ｂ）の平面ハンドルｈの下端付近を示す一部切欠略断面図、（Ｂ）はインジケータ表示部２３が施錠を示す図１（Ａ）の一部切欠拡大正面図、（Ｃ）はインジケータ表示部２３が解錠を示す図１（Ａ）の一部切欠拡大正面図、（Ｄ）は図１（Ｂ）の平面ハンドルｈのレバー２を開いた状態を示す側面図。
【図４】（Ａ）は錠ケース４へ錠部材３とラッチ片４４とを組み付ける状態を示す分解斜視図、（Ｂ）は（Ａ）の略縦断面図、（Ｃ）は（Ａ）へ示す錠ケース４へ錠部材３を組み付けた状態を示す斜視図、（Ｄ）は（Ｃ）の略縦断面図、（Ｅ）は（Ｃ）の錠部材３を施錠状態にした斜視図、（Ｆ）は（Ｅ）の略縦断面図。
【図５】（Ａ）は図３（Ｂ）の表示状態のインジケータ３８の向きを示す錠部材３の拡大正面図、（Ｂ）は図３（Ｃ）の表示状態のインジケータの向きを示す錠部材３の拡大正面図、（Ｃ）は（Ａ）に示す錠部材３の略背面図、（Ｄ）は（Ｂ）に示す錠部材３の略背面図、（Ｅ）は図２（Ａ）のレバーから錠ケースを外した状態を示す一部切欠背面図、（Ｆ）はレバー２へ錠ケース４を取り付ける状態を示す一部切欠分解斜視図、（Ｇ）はレバー２へ錠ケース４を取り付けた状態を示す一部欠斜視図。
【発明を実施するための形態】
【００１１】
以下、図面に基づき本願発明の実施の形態を説明する。尚、説明の便宜上、各図において、Ｕを上方、Ｓを下方、Ｆを前方、Ｂを後方とする。
【００１２】
（基本構成）
図１（Ａ）（Ｂ）へ示す通り、この平面ハンドルｈは、配電盤ボックスｔの本体ｔ１を閉じる扉ｔ２に取り付けられて、扉ｔ２の把手として使用されると共に扉ｔ２の施錠を行うものである。
即ち、この平面ハンドルｈは、上記扉ｔ２のハンドル取付面ｔ３に設けられた取付孔ｔ４へ挿入されて当該扉ｔ２へ固定される（図１（Ｂ））。扉ｔ２を閉じた状態において平面ハンドルｈは、掛金ｊを扉ｔ２の先端から突出させ、当該掛金ｊを配電盤ボックスｔの本体ｔ１へ設けられた掛金受け部ｔ６へ係止させる（図１（Ａ））。
図１（Ａ）（Ｂ）へ示す通り、平面ハンドルｈは、上記取付孔ｔ４へ挿入されるケーシング１と、当該ケーシング１に対して起伏するレバー２とを備える。当該レバー２は、ケーシング１から開かれた状態においてケーシング１即ち上記扉ｔ２に対して回動させることができる。上記掛金ｊはレバー２の回動によって回動する。レバー２の当該回動操作により掛金ｊを掛金受け部ｔ６から外し、扉ｔ２を開くことができる。
レバー２は、錠部材３を備え、施錠することによってレバー２がケーシング１に収納された状態を維持してレバー２を握ることができないようにしたものであり、解錠することによってレバー２を起こしレバー２を回転させて掛金ｊを掛金受け部ｔ６から外し扉ｔ２を開放可能とする。錠部材３は錠ケース４に収容されてレバー２に取り付けられている。
以下、各部の構成について詳しく説明する。
【００１３】
（ケーシング１）
図１（Ｂ）へ示すように、上記ケーシング１は、ケーシング本体１０と、固定部材１１と、パッキン１２とを備える。
固定部材１１とパッキン１２とは、夫々ケーシング本体１０と別体に形成されている。
（ケーシング本体１０）
ケーシング本体１０には、収容部１３と、フランジ１４とが形成されている。
収容部１３は、ケーシング本体１０の正面から後方へ後退する凹部であり、上記レバー２を収容する。収容部１３はケーシング本体１０の背面側においては隆起部である。
上記のレバー２は、ケーシング本体１０の前面に開口する収容部１３の開放部１３ｅから出没する（図３（Ｄ））。
（収容部１３）
この例では、収容部１３は、上下に伸び、レバー２は縦に収容され先端を下方に向ける。但し、収容部１３を、左右に伸びるものとし、レバー２を横に収容するものとしても実施できる（図示しない）。
図１（Ｂ）（Ｃ）及び図３（Ａ）へ示す通り、収容部１３は、レバー２の先端側を収容する第１後退部１３ａと、第１後退部と連続して形成されレバー２の基部側を収容する第２後退部１３ｂとを備える。
【００１４】
第１後退部１３ａの内部は、第２後退部１３ｂの内部よりも、後方へ後退している。第１後退部１３ａは、レバー２を閉じたとき、レバー２に取り付けられている上記錠ケース４を収容する。
第１後退部１３ａの内側面には、ラッチ受け部１７が設けられている（図３（Ａ））。
ラッチ受け部１７は、この例では、第１後退部１３ａの内側面のうち、下側面に設けられた凹部である。但し、錠部材３のラッチ片４４が引掛かるものであれば、ラッチ受け部１７を当該下側面から突出する凸部として形成することも可能である。
図１（Ｂ）へ示す通り、第２後退部１３ｂには、第１後退部１３ａと反対側即ちこの例では第２後退部１３ｂの上端側に、筒部１３ｃが形成されている。筒部１３ｃの内部には、ケーシング本体１０を前後に貫通する貫通部（図示しない）が設けられている。
図１（Ｃ）及び図２（Ｄ）へ示す通り、収容部１３の側部には、ケーシング１の前後に伸びる溝１５が形成されている。この実施の形態では、溝１５は、収容部 １３の上側面と下側面の２か所に設けられている。溝１５は、奥に向けて、広がっている。この例では、上記溝１５において、この溝１５の伸びる方向と直交する断面が台形であり、当該台形の両側辺が溝１５の奥底に向けてハの字状に広がっている。
【００１５】
（フランジ１４）
フランジ１４は、上記収容部１３の開放部１３ｅ周縁に設けられて、扉ｔ２の上記取付面ｔ３に当接する鍔である（図１（Ｂ）、図２（Ｄ）及び図３（Ｄ））。
ケーシング本体１０の後面から隆起する収容部１３の背面側が、扉ｔ２の上記取付孔ｔ４へ挿入される（図１（Ｂ））。
この実施の形態において、フランジ１４の背面において、嵌合部１４ａが設けられている（図２（Ｄ））。この例では、嵌合部１４ａは、収容部１３の上方と下方に設けられている。また、この例では、嵌合部１４ａは、凹部１４ｂと、凹部１４ｂの形成された領域内に設けられた凸部１４ｃとを有する。
（パッキン１２）
パッキン１２は、扉ｔ２の上記取付孔ｔ４へケーシング１を取り付ける前に、上記フランジ１４の後面に取り付けられる。パッキン１２は、図２（Ａ）（Ｂ）へ示す通り環状に形成されている。パッキン１２は、この例では、フランジ１４の背面形状に合わせ正面視において略長円状に形成されている。パッキン１２は、ゴム、ウレタン、プラスチック、またはその他の弾力性と防水性を備えた素材にて形成されている。
図１（Ｃ）へ示す通り、パッキン１２は、ケーシング本体１０の背面において収容部１３を取り囲むように配置される。
上記の通りフランジ１１の後面に上記パッキン１２が設けられることで、フランジ１４は、扉ｔ２の上記取付面ｔ３との間の密閉性を向上させることができる。
【００１６】
詳しくは、パッキン１２は、パッキン１２の後方に伸びる複数の係止突起１２ａと、正面に形成された被嵌合部１２ｂとを備える（図２（Ａ）〜（Ｃ））。
図２（Ｂ）へ示す通り、係止突起１２ａは、環状のパッキン１２の内周面に設けられてパッキン１２の背面側からパッキン１２の後方へ突出する。この係止突起１２ａを取付孔ｔ４に係止させることによって、平面ハンドルｈを取付孔ｔ４に仮固定することができ、仮固定した状態で取付面ｔ３への平面ハンドルｈの固定作業を行なうことができる。
この例では、係止突起１２ａは、環状のパッキン１２の内周面において、上下の２か所に設けられている。各係止突起１２ａは、パッキン１２の径外方向に向けて突出する鉤部１２ｃを備える。
図２（Ａ）（Ｂ）へ示す通り、各係止突起１２ａは、突出する方向と直交する断面において、パッキン１２の径の内側に向けて広がっている。この例では、係止突起の当該断面形状は、台形である。
被嵌合部１２ｂは、フランジ１４の上記嵌合部１４ａと対応する形状を備える。この例では、被嵌合部１２ｂは、上記嵌合部１４ａの凹部１４ｂと凸部１４ｃと対応する、凸部１２ｄと凹部１２ｅとを備える（図２（Ｂ））。
パッキン１２をフランジ１４の背面に配置する際、収容部１３の上記溝１５へ係止突起１２ａを挿入する（図１（Ｃ））。そして上記被嵌合部１２ｂを、フランジ１４の上記嵌合部１４ａへ嵌める。上記鉤部１２ｃは、溝１５から突出し、図１（Ｂ）へ示す通り、収容部１３を取付孔ｔ４へ挿入した状態において、扉ｔ２の取付面ｔ３を備える部位の、取付面ｔ３と反対側の面（反対面ｔ５）と当接する。
（固定部材１１）
図１（Ｂ）へ示す通り、上記収容部１３を取付孔ｔ４へ挿入した状態において、上記の固定部材１１が、収容部１３の背面側へ配され周知の留具１６にて固定される。上記フランジ１４と固定部材１１とにて、扉ｔ２の上記取付面ｔ３が設けられた部位を前後から挟むことにて、平面ハンドルｈは、扉ｔ２へ固定される。
上記の留具１６には、ネジ、ボルトまたはピンといった周知の固定手段を採用することができる。
具体的には、固定部材１１は、図１（Ｃ）〜（Ｅ）へ示す通り、夫々上下に伸び左右に並べられた２本の押え部１１ａと、両押え部１１ａ間に設けられ両押え部１１ａ同士を連結する連結部１１ｂとを備える。連結部１１ｂには上記留具１６を通す留具挿通部１１ｃが設けられている。留具挿通部１１ｃは、連結部１１ｂを前後に貫通する孔や切欠部として形成することができる。上記の留具１６にて連結部１１ｂは収容部１３の背面へ固定される。固定により、両押え部１１ａは、扉ｔ２の上記取付面ｔ３が設けられた部位を挟んで、フランジ１４の後方に位置する（図１（Ｂ））。
【００１７】
（レバー２）
レバー２は、図１（Ａ）（Ｂ）及び図３（Ａ）（Ｄ）へ示す通り、扉ｔ２を開閉する際の把手として賦形されたものである。レバー２は、起伏可能にケーシング１に取り付けられ、起こされた状態即ちケーシング１から開いた状態において、回転して上記掛金ｊを回転させることができる。
レバー２には、ヒンジ部（図示しない。）と、開口部２１と、錠取付部２４とが形成されている（図３（Ａ））。
（ヒンジ部）
上記ヒンジ部は、レバー２の基部後面に設けられている。このヒンジ部にて、ケーシング１に対しレバー２を起伏させることができる。ヒンジ部は、レバー２と別体に形成された基体を、左右横方向に伸びる横軸にて、レバー２の基部後面に軸止することにより形成されている。横軸には周知のピンを用いることができる。
上記の基体は、円盤であり、上記収容部１３の筒部１３ｃに収容される。基体の中心軸は、筒部１３ｃの中心軸と略一致し、何れも前後に伸びる。貫通部の上記貫通部には、前後に伸びる軸ｇが挿通され（図１（Ｃ））、軸ｇの先端側は上記基体の中心に突き通されている。軸ｇの基端側に上記掛金ｊが固定される。
レバー２を起こして回転させることにより、筒部１３ｃ内の基体が軸ｇと共に回転し、上記掛金ｊを回転させる。
【００１８】
（開口部２１）
図３（Ａ）〜（Ｃ）及び図５（Ｅ）（Ｆ）へ示す通り、開口部２１は、レバー２の前後に貫通する貫通孔であり、上記ヒンジ部よりもレバー２の先端側へ形成されている。開口部２１は、上記錠部材３の前面よりも小さなものである。
開口部２１は、鍵操作部２２とインジケータ表示部２３とを備える。
この実施の形態では、鍵操作部２２は正面視円形であり、当該円の径が上記錠部材３の前面３１の径よりも小さい。
インジケータ表示部２３は、鍵操作部２２の外周の一部に設けられた、鍵操作部２２の径の外側に後退する部位である。鍵操作部２２は、鍵ｋの回転操作が可能であればよく、上記の円形に限定するものではない。
【００１９】
鍵操作部２２から錠部材３の鍵挿入孔３３に鍵を挿入して錠部材３の回動を行なうことができる。錠部材３の当該回動に伴い開口部２１のインジケータ表示部２３から見える錠部材３のインジケータ３８の領域が変化することによって、この平面ハンドルｈは、施錠及び解錠の状態を表示することができる。鍵挿入孔３３及びインジケータ３８を含め、錠部材３の詳細については後述する。
（錠取付部２４）
図３（Ａ）及び図５（Ｅ）（Ｆ）へ示す通り、錠取付部２４は、レバー２の後面即ち、レバー２におけるケーシング１の収容部１３を臨む面において、上記ヒンジ部よりもレバー２の先端側へ形成されている。
錠取付部２４は、上記開口部２１の後方に位置する。
錠取付部２４は、ケース取付部２５と、位置決め部２６とを備える。
【００２０】
図３（Ａ）及び図５（Ｅ）（Ｆ）へ示す通り、ケース取付部２５は、上記錠ケース４を固定する部位である。
ケース取付部２５には、ネジ、ホルト、ピン又は接着剤、溶接などの周知の固定手段にて、錠ケース４が固定される。この実施の形態では、錠ケース４はケース取付部２５へネジ２８にて取り付けられるものであり、ケース取付部２５にはネジ穴２７が設けられている。より具体的には、レバー２の後面において、上記開口部２１を挟んで２箇所にケース取付部２５が設けられている。図５（Ｅ）へ示すように、この実施の形態において、ケース取付部２５は、開口部２１の上方と下方の夫々に設けられている。ケース取付部２５は、頂部即ち後端が平らな隆起として形成され、当該頂部に上記ネジ穴２７が設けられている。
【００２１】
位置決め部２６は、図５（Ｅ）〜（Ｇ）へ示す通り、ケース取付部２５よりも後方へ隆起する部位である。位置決め部２６は、開口部２１の周囲にあってケース取付部２５の設けられていない位置に形成されている。この実施の形態では、位置決め部２６は、開口部２１の左右２か所に設けられている。
言い換えると、レバー２の後面において、左右の位置決め部２６の間に開口部２１が位置し、左右の位置決め部２６の間から上下にケース取付部２５の夫々が伸びている。
この実施の形態において、図５（Ｅ）（Ｆ）へ示す通り、位置決め部２６同士の対向する内側面の夫々には、錠ケース４を案内する正面視円弧状の凹みが案内部２９として設けられている。当該案内部２９の径よりも、上記開口部２１の鍵操作部２２の径は小さい。案内部２９と、開口部２１の鍵操作部２２との両径の差によりレバー２後面には、錠部材４と当接する当接面２０が確保されている（図５（Ｅ）（Ｆ））。レバー２の正面視において、当接面２０はインジケータ３８を覆うマスク部を構成する。
【００２２】
（錠部材３）
上記錠部材３は、この例ではタンブラ錠であり、図４（Ａ）（Ｂ）へ示す通り、複数のドライバ片３４を収容する、円柱状のロータ３０を備える。円柱状の当該ロータ３０の中心軸は前後方向に伸び、ロータ３０には、前面３１に前述の鍵挿入孔３３とインジケータ３８とが設けられており、後面３２に突起３６が設けられている。
（ロータ３０）
複数の上記ドライバ片３４は、ロータ３０の外周から出没自在にロータ３０へ収容されている。複数の上記ドライバ片３４は、ロータ３０の軸方向に配列されている。ドライバ片３４の夫々は、弾力性のある付勢部材（図示しない。）に付勢され、ロータ３１の外周面から突出する。付勢部材には、バネを採用することができる。
更にロータ３０には、抜け止片３５が、ロータ３０の外周面から出没自在に収容されている。抜け止片３５は、弾力性のある付勢部材（図示しない。）に付勢され、ロータ３１の外周面から突出する。この例では、抜け止片３５は、ドライバ片３４の列の後方に配置されている。抜け止片３５の付勢部材にも、バネを採用することができる。
【００２３】
上記前面３１を備えるロータ３０の前部側３０ａは、ドライバ片３４が出没するロータ３０の後部側３０ｂよりも径が大きい（図４（Ｂ））。
当該後部側３０ｂの前端外周には、後部側３０ｂの他の部位よりも隆起する回動規制部３７が設けられている。回動規制部３７は、ロータ３０の周方向に沿って孤状に設けられた隆起である。回動規制部３７の隆起幅は、径内外方向についてロータ３０の前部側３０ａ外周を越えるものではない。
（鍵挿入孔３３）
鍵挿入孔３３から鍵ｋをロータ３０内へ挿入することにより、各ドライバ片３４はロータ３０内に没する（図４（Ｆ））。
（突起３６）
突起３６は、ロータ３０の後面３０の中心から偏心した位置に設けられており、ロータ３０の回転により周回する（図５（Ｃ）（Ｄ））。
【００２４】
（インジケータ３８）
インジケータ３８は、表示の異なる領域を備え、解錠・施錠の状態を示す。
具体的には、図５（Ａ）（Ｂ）へ示す通り、インジケータ３８はロータ３０の前面において、鍵挿入孔３３を囲んで配列された円弧状の領域であり、施錠を表示する施錠表示領域と解錠を示す解錠表示領域の２種の領域を備える。この例では、図１（Ａ）、図３（Ｂ）（Ｃ）及び図５（Ａ）（Ｂ）へ斑点部で示す領域を、錠部材３の施錠状態を示す施錠表示領域とし、図３（Ｂ）（Ｃ）及び図５（Ａ）（Ｂ）へ網掛けで示す領域を、錠部材３の解錠状態を示す解錠表示領域とする。インジケータ３８の施錠表示領域と解錠表示領域とは、ロータ３０の回動に伴って配置が入れ替わる（図５（Ａ）（Ｂ））。
インジケータ３８の各領域が呈する上記の孤の径は、レバー２の上記開口部２１のインジケータ表示部２３が呈する孤の径と略等しい。
【００２５】
この実施では、施錠表示領域と解錠表示領域とは、異なる色が印刷或いは着色されている。例えば、施錠表示領域を緑色とし、解錠表示領域を赤色とすることができる。但しこのような配色は例示であり、施錠表示領域と海上表示領域とを区別出るものであれば、他の色を表示するものとして実施できる。また２色で色分けする以外に、着色領域と非着色領域とによって両表示領域を判別するものとしてもよい。
更にまた、各表示領域の区別は、上記のような色分けに限定するものではなく、文字や記号の表示により、施錠・解錠を判別するものとして実施することができる。この他、インジケータ３８として、施錠・解錠の状態を示すピクトグラムその他の絵柄を採用することも可能である。また、色分けや文字、記号、絵柄以外に、梨地と光沢地という表面仕上げによる区別や、表面に各領域異なる起伏形状（例えば点字）を付与するものとしても実施できる。但し、インジケータ３８は、レバー２の後面と当接するロータ３０の回転を阻害しないように形成しておく。
【００２６】
（錠ケース４）
錠ケース４は、図４（Ａ）（Ｂ）へ示す通り、ラッチ収容部４１と、ラッチ収容部４１の前方に設けられた錠収容部４２と、被取付部４３と、別体に形成されてラッチ収容部４１へ収容される上記ラッチ片４４とを備える。
錠ケース４の表面は、図４（Ａ）へ示す通り、主に、箱状部と、この箱状部の上部へ延設され軸方向を上下方向とし且つ前端が開口する筒状部とを備え、この箱状部が上記ラッチ収容部４１を構成し、筒状部が主として上記錠収容部４２を構成する。
（ラッチ収容部４１）
図４（Ａ）（Ｂ）へ示す上記ラッチ収容部４１の内部は、ラッチ片４４がガタついたり詰まったりせずに円滑に上下にスライドできる寸法に形成されている。ラッチ収容部４１は、側部表面にラッチ片４４を出没させる開口４１ａを備える。この例では、開口４１ａは、ラッチ収容部４１の下側部に設けられて、ラッチ片４４を下方に向けて出没させる。
（錠収容部４２）
上記錠収容部４２に錠部材３のロータ３０の後部側３０ｂを収容することができる。錠収容部４２の内径は、ロータ３０の後部側３０ｂの外径とほぼ等しいか若干大きなものであり、ドライバ片３４が没した状態において、ロータ３０が錠ケース４に対して円滑に回転できるものとする。
また、錠収容部４２の内部は、上記の筒状部の内部にて構成されるものであるが、下端側の一部が上記箱状部の内部に延設されている。
錠収容部４２は、内周面に第１ドライバ受け部４２ａと第２ドライバ受け部４２ｂと抜け止係止部４２ｃとを備え、上端に上方へ突出する突起を被規制部４２ｄとして備える（図４（Ａ）（Ｂ））。
第１ドライバ受け部４２ａと第２ドライバ受け部４２ｂは、夫々錠収容部４２の内周面に設けられた、筒状の錠収容部４２の軸方向に伸びる溝である。この例では、錠収容部４２内周面において、第１ドライバ受け部４２ａは錠ケース４の上方側に、第２ドライバ受け部４２ｂは反対の下方側に設けられている。
【００２７】
抜け止係止部４２ｃは、第１及び第２の両ドライバ受け部４２ａ，４２ｂよりも、錠ケース４の後方に配置されている。
抜け止係止部４２ｃは、錠収容部４２の周方向に沿って伸びる溝である。上記箱状部の表面には、錠収容部４２の抜け止係止部４２ｃに通じる小孔４２ｅが設けられている。錠ケース４から錠部材３を取り外すときに、小孔４２ｅからピンを差し込み、抜け止片３５を抜け止係止部４２ｃ内から没せしめることができる。
（被取付部４３）
被取付部４３は、図４（Ａ）（Ｂ）へ示す通り、錠収容部４２の前端から錠収容部４２の径外方向へ突出する平らな板状部である。
被取付部４３には、上記留具２８を挿通することができる孔４３ａが設けられている。
（ラッチ片４４）
上記ラッチ片４４には、突起受け部４４ａが設けられている（図４（Ａ）（Ｂ））。突起受け部４４ａは、ラッチ片４４の側部に設けられた後退部分である。
【００２８】
（錠部材３の錠ケース４への収容）
図４（Ａ）（Ｂ）へ示す錠部材３のロータ３０を、前方から錠ケース４の上記錠収容部４２へ収容する。図示は省略するが、当該収容前鍵ｋをロータ３０の鍵挿入孔３３へ差し込んだ状態にして各ドライバ片３４をロータ３０内に没せしめしておく。また、抜け止片３５を指で押さえて引っ込め、錠収容部４２の内周面に押し付けることにより抜け止片３５を没した状態としたまま、ロータ３０を錠収容部４２へ収容する。
ロータ３０の上記収容時、ドライバ片３４を、上記第１ドライバ収容部４２ａへ対応させる。図４（Ｄ）へ示す通り、抜け止片３５は、抜け止係止部４２ｂにてロータ３０から突出し、ロータ３０が脱落するのを防止する。また、ロータ３０から鍵ｋを抜いて、第１ドライバ収容部４２ａ内へドライバ片３４を突出させる。ドライバ片３４が第１ドライバ収容部４２ａ内に突出することで、ロータ３０の回転が不能となる。
ロータ３０の上記収容により、ラッチ収容部４１内において、ロータ３０の上記突起３５は、上記ラッチ片４４の突起受け部４４ａ内に入る。このとき即ちドライバ片３４が第１ドライバ収容部４２ａ内に突出しているとき、図４（Ｄ）及び図５（Ｄ）へ示す通り、突起３６は、ラッチ収容部４１内において上方側へ位置し、ラッチ片４４をラッチ収容部４１内に没した状態としている。
【００２９】
（錠ケース４のレバー２への取り付け）
図５（Ｆ）へ示す通り、錠部材３を収容した錠ケース４を、レバー２の後方から上記錠取付部２４へ取り付ける。
具体的には、左右の両位置決め部２６間へ錠ケース４の筒状部を挿入する。錠ケース４の筒状部が両位置決め部２６の案内部２９に案内され、被取付部４３はケース取付部２５に対面する。このとき、ロータ３０の前面３１において鍵挿入孔３３の周囲は、上記当接面２０と当接する。被取付部４３がケース取付部２５に重ねられた状態にて、留具２８が孔４３ａに通されネジ穴２７へ固定される（図５（Ｇ））。
上記錠ケース４のレバー２への取り付けにより、円形のロータ３０の前面３１は、円形の開口部２１と同心に配置され、弧状のインジケータ３８の各領域も、開口部２１と同心となる。インジケータ３８の何れかの領域がインジケータ表示部２３を通じて露出し、レバー２の正面側から視認できる。インジケータ３８の他の領域は、レバー２における当接面２０の正面側の部位にてマスクされ視認できない。
【００３０】
（レバー２の施錠）
レバー２の開口部２１の鍵操作部２２から鍵ｋをロータ３０の鍵挿入孔３３へ挿入し、ドライバ片３４をロータ３０内に没せしめた状態にして、鍵ｋの回転によりロータ３０を回転させる。図４（Ｅ）へ示す通り、回転規制部３７へ被規制部４２ｄが当接してそれ以上回転できなくなる位置まで、ロータ３０が回転すると第２ドライバ受け部４２ｂの位置にドライバ片３４が到達する。この状態で鍵ｋを抜くと、第２ドライバ受け部４２ｂ内にドライバ片３４が突出して、ロータ３０は回転不能となる（図示しない）。上記の通り、回転規制部３７は、被規制部４２ｄとの当接により、第２ドライバ受け部４２ｂとドライバ片３４との位置決めを行う。一方、ロータ３０の上記回転により突起３６が旋回して、ラッチ片４４が開口４１ａより錠ケース４の外部へ突出し（図４（Ｅ）（Ｆ）及び図５（Ｃ））、ケーシング１の上記ラッチ受け部１７内へ侵入する（図３（Ａ））。このようにして施錠が行われ、レバー２はケーシング１の収容部１３内から取り出せない。被規制部４２ｄは回動規制部３７と当接して、ロータ３０の上記回転を適切な範囲に規制する（図５（Ｃ）（Ｄ））。
施錠中、インジケータ表示部２３は、図３（Ｂ）へ示す通り、インジケータ３８の施錠表示領域を表示する。回転規制部３７は被規制部４２ｄとの上記当接により、インジケータ表示部２３に対するインジケータ３８の施錠表示領域の位置を決めるものでもあり、ドライバ片３４の第１ドライバ受け部４２ａ又は第２ドライバ受け部４２ｂへの上記挿入は、施錠表示領域の決められた当該位置を確定するものでもある。
【００３１】
（レバー２の解錠）
レバー２を解錠するに際しては、レバー２の開口部２１の鍵操作部２２から鍵ｋをロータ３０の鍵挿入孔３３へ挿入し、ドライバ片３４をロータ３０内に没せしめた状態にして、上記施錠と逆の方向への鍵ｋの回転によりロータ３０を施錠と逆の方向に回転させる。図４（Ｃ）へ示す通り、回転規制部３７の上記施錠時と反対の端部へ被規制部４２ｄが当接する位置まで、ロータ３０が回転すると第１ドライバ受け部４２ａの位置にドライバ片３４が到達する。この状態で鍵ｋを抜くと、第１ドライバ受け部４２ａ内にドライバ片３４が突出して、ロータ３０は回転不能となる。上記の通り、回転規制部３７は、被規制部４２ｄとの当接により、第１ドライバ受け部４２ａとドライバ片３４との位置決めを行う。
一方、ロータ３０の当該逆回転により突起３６が旋回して、ラッチ片４４が開口４１ａから錠ケース４の内部へ没し（図４（Ｃ）（Ｄ）及び図５（Ｄ））、ラッチ片４４は、ケーシング１の上記ラッチ受け部１７から後退する。
このようにして、レバー２の解錠が行われる。解錠中、インジケータ表示部２３は、図３（Ｃ）へ示す通り、インジケータ３８の解錠表示領域を表示する。
【００３２】
上記の通り、錠ケース４を用いることによって、既存のタンブラ錠を錠部材３として利用することができる。
【００３３】
（変更例）
上記の実施の形態において、この平面ハンドルｈは、配電盤ボックスの扉に設けられるものとした。この他、この平面ハンドルｈは、他の扉に設けられるものとしても実施できる。
上記の実施の形態において、インジケータ表示部２３は、鍵操作部２２の径外方向へ後退する部位とした。この他、インジケータ表示部２３は、鍵操作部２２と独立して設けられた、レバー２の前後に貫通する小窓としても実施できる。また、インジケータ表示部２３を鍵操作部２２の径内方向へ突出する指針としてもよい。この場合、インジケータ３８を、鍵操作部２２内に現れる鍵操作部２２の径より小径の領域とし、ロータ３０の回転によりインジケータ３８の向きが変わることにて、施錠・解錠の状態を表示するものとする。
更に、インジケータ３８の上記各領域をレバー２側、例えば開口部２１の外周に設け、ロータ３０の前面３１に、ロータ３０の回転によって向きが変わる矢印等の表示を指針として設けて実施することもできる。
図示した実施の形態では、ラッチ片４４は、レバー２の先端側即ち下方に向けて出没するものとしたが、左右方向或いは上方に向けて出没するものとしても実施できる。ラッチ受け部１７の配置は、ラッチ片４４の出没の向きに応じて変更すればよい。
【符号の説明】
【００３４】
１    ケーシング
２    レバー
３    錠部材
４    錠ケース
１０    ケーシング本体
１１    固定部材
１１ａ  押え部
１１ｂ  連結部
１１ｃ  留具挿通部
１２    パッキン
１２ａ  係止突起
１２ｂ  被嵌合部
１２ｃ  鉤部
１２ｄ  凸部
１２ｅ  凹部
１３    収容部
１３ａ  第１収容部
１３ｂ  第２収容部
１３ｃ  筒部
１４    フランジ
１４ａ  嵌合部
１４ｂ  凹部
１４ｃ  凸部
１５    溝
１６    留具
１７    ラッチ受け部
２１  （レバー２の）開口部
２２  （開口部２１の）鍵操作部
２３  （開口部２１の）インジケータ表示部
２４    錠取付部
３０  （錠部材３の）ロータ
３１  （ロータ３０の）前面
３２  （ロータ３０の）後面
３３  （ロータ３０の）鍵挿入孔
３４  （錠部材３の）ドライバ片
３５  （錠部材３の）抜け止片
３６  （錠部材３の）突起
３７  （錠部材３の）回動規制部
３８    インジケータ
４１  （錠ケース４の）ラッチ収容部
４１ａ  開口
４２  （錠ケース４の）錠収容部
４２ａ  第１ドライバ受け部
４２ｂ  第２ドライバ受け部
４３ｃ  抜け止係止部
４２ｄ  被規制部
４３  （錠ケース４の）被取付部４３
４４  （錠ケース４の）ラッチ片
ｈ      平面ハンドル
ｊ      掛金
ｋ      鍵
ｔ      配電盤ボックス
ｔ１  （配電盤ボックス１の）本体
ｔ２  （配電盤ボックス１の）扉
ｔ３  （扉ｔ２の）取付面  
ｔ４  （扉ｔ２の）取付孔
ｔ５  （取付面ｔ３と反対側の）反対面
ｔ６    掛金受け部
【図１】
2014105487.tif 000003
【図２】
2014105487.tif 000004
【図３】
2014105487.tif 000005
【図４】
2014105487.tif 000006
【図５】
2014105487.tif 000007